(57)【要約】本発明は、多機能室及び冷蔵庫を提供することを目的とする。多機能室は、内層及び内層を閉鎖する扉を備え、内層は、取り囲むように配置された複数の板体によって構成されている。多機能室は、複数の板体のうち少なくとも１つの板体に形成された少なくとも１つの開口部と、開口部に配置され、多機能室の湿度を調整する保湿モジュールと、保湿モジュールに対して移動自在に配置された上蓋と、複数の板体のうち少なくとも１つの板体に形成され、多機能室の水分を排出する少なくとも１つの換気口と、をさらに備える。ここで、多機能室が高湿モードにある場合、上蓋は、保湿モジュールが露出されるように、保湿モジュールに対して移動し、多機能室が乾燥モードにある場合、上蓋は、保湿モジュール全体を覆う。本発明によれば、同一室で、貯蔵対象物の望ましい湿度によって、高湿モードと乾燥モードとを切り替えることができる。これにより、室内の環境を円滑に調整し、室の無駄遣いを抑制するという目的を達成できる。
2017508125.tif 000002
【特許請求の範囲】
【請求項１】
内層及び前記内層を閉鎖する扉を備える多機能室であって、
前記内層は、取り囲むように配置された複数の板体によって構成されており、
前記複数の板体のうち少なくとも１つの板体に形成された少なくとも１つの開口部と、
前記開口部に配置され、前記多機能室の湿度を調整する保湿モジュールと、
前記保湿モジュールに対して移動自在に配置された上蓋と、
前記複数の板体のうち少なくとも１つの板体に形成され、前記多機能室の水分を排出する少なくとも１つの換気口と、をさらに備え、
前記多機能室が高湿モードにある場合、前記上蓋は、前記保湿モジュールが露出されるように、前記保湿モジュールに対して移動し、
前記多機能室が乾燥モードにある場合、前記上蓋は、前記保湿モジュール全体を覆うことを特徴とする多機能室。
【請求項２】
前記保湿モジュールには、透過可能湿度が設定されており、前記多機能室の現在の湿度が前記透過可能湿度を超えた場合、前記保湿モジュールは、前記多機能室内の水分を流出させ、前記多機能室の現在の湿度が前記透過可能湿度以下である場合、前記保湿モジュールは、前記多機能室内の水分の流出を遮断することを特徴とする請求項１に記載の多機能室。
【請求項３】
前記多機能室が前記高湿モードにある場合、前記保湿モジュールは、前記現在の湿度が前記透過可能湿度に徐々に近づき、前記透過可能湿度と同じになるように、前記多機能室の前記現在の湿度を調整することを特徴とする請求項２に記載の多機能室。
【請求項４】
前記保湿モジュールは、前記開口部に配置され、前記開口部を密封することを特徴とする請求項１に記載の多機能室。
【請求項５】
前記保湿モジュールは、少なくとも２つの支持基体及び少なくとも１つの保湿膜を備えており、前記保湿膜は、前記支持基体の間に挟まれて配置され、前記支持基体に、少なくとも１つの通気穴が形成されていることを特徴とする請求項１に記載の多機能室。
【請求項６】
前記保湿モジュール、又は、前記複数の板体のうち前記保湿モジュールが設けられた板体に、第１スライド部が設けられており、
前記上蓋に、前記第１スライド部に対応する第２スライド部が設けられており、
前記上蓋は、前記第１スライド部及び前記第２スライド部を介して、前記保湿モジュールに対してスライドすることを特徴とする請求項１に記載の多機能室。
【請求項７】
前記第１スライド部及び前記第２スライド部のうち、一方はシュートであり、他方は凸型ブロックであることを特徴とする請求項６に記載の多機能室。
【請求項８】
前記保湿モジュール、又は、前記複数の板体のうち前記保湿モジュールが設けられた板体に、前記上蓋が前記保湿モジュールから外れないように、少なくとも１つのスライド止め部が設けられることを特徴とする請求項１に記載の多機能室。
【請求項９】
前記多機能室は、送風モジュール及び蒸発器をさらに備えており、
前記少なくとも１つの換気口は、給気口であり、
前記蒸発器は、乾燥空気を生成するために使用され、
前記多機能室が乾燥モードにある場合、前記送風モジュールは、前記給気口を経由して、前記乾燥空気を前記多機能室内に送り込むことを特徴とする請求項１に記載の多機能室。
【請求項１０】
請求項１〜９のいずれか一項に記載の多機能室を備えることを特徴とする冷蔵庫。
【発明の詳細な説明】
【技術分野】
【０００１】
本願は、中国特許出願第２０１４１０７０２１０７.０（２０１４年１１月２８日出願、発明の名称「多機能室及び冷蔵庫」）に基づく優先権を主張しており、この内容は全て本明細書に参照として取り込まれる。
【０００２】
本発明は、冷蔵庫に関し、特に、多機能室及び冷蔵庫に関する。
【背景技術】
【０００３】
現在、冷蔵庫及び冷凍庫は、既に乾燥室や高湿度室を搭載可能であり、ユーザーの厳しい湿度管理が要求される食品、薬材などの貯蔵が便利になっている。一般的に、乾燥室は乾燥した環境だけ、高湿度室は高湿度の環境だけを提供するものにすぎず、ユーザーは必要に応じて各室の使用環境を円滑に調整することができない。したがって、空き室が出て、冷蔵庫空間の無駄遣いを引き起こしてしまう。
【発明の概要】
【発明が解決しようとする課題】
【０００４】
本発明は、上記の事情に鑑みてなされたものであり、その１つの目的は、多機能室及び冷蔵庫を提供することにある。
【課題を解決するための手段】
【０００５】
上記の１つの目的を実現するため、本発明は、内層及び前記内層を閉鎖する扉を備える多機能室であって、前記内層は、取り囲むように配置された複数の板体によって構成されており、前記複数の板体のうち少なくとも１つの板体に形成された少なくとも１つの開口部と、前記開口部に配置され、前記多機能室の湿度を調整する保湿モジュールと、前記保湿モジュールに対して移動自在に配置された上蓋と、前記複数の板体のうち少なくとも１つの板体に形成され、前記多機能室の水分を排出する少なくとも１つの換気口と、をさらに備える多機能室を提供する。
【０００６】
ここで、前記多機能室が高湿モードにある場合、前記上蓋は、前記保湿モジュールが露出されるように、前記保湿モジュールに対して移動し、前記多機能室が乾燥モードにある場合、前記上蓋は、前記保湿モジュール全体を覆う。
【０００７】
本発明の一実施形態において、前記保湿モジュールには、透過可能湿度が設定されており、前記多機能室の現在の湿度が前記透過可能湿度を超えた場合、前記保湿モジュールは、前記多機能室内の水分を流出させ、前記多機能室の現在の湿度が前記透過可能湿度以下である場合、前記保湿モジュールは、前記多機能室内の水分の流出を遮断する。
【０００８】
本発明の一実施形態において、前記多機能室が前記高湿モードにある場合、前記保湿モジュールは、前記現在の湿度が前記透過可能湿度に徐々に近づき、前記透過可能湿度と同じになるように、前記多機能室の前記現在の湿度を調整する。
【０００９】
本発明の一実施形態において、前記保湿モジュールは、前記開口部に配置され、前記開口部を密封する。
【００１０】
本発明の一実施形態において、前記保湿モジュールは、少なくとも２つの支持基体及び少なくとも１つの保湿膜を備え、前記保湿膜は、前記支持基体の間に挟まれて配置され、前記支持基体に、少なくとも１つの通気穴が形成されている。
【００１１】
本発明の一実施形態において、前記保湿モジュール、又は、前記複数の板体のうち前記保湿モジュールが設けられた板体に、第１スライド部が設けられており、前記上蓋に、前記第１スライド部に対応する第２スライド部が設けられており、前記上蓋は、前記第１スライド部及び前記第２スライド部を介して、前記保湿モジュールに対してスライドする。
【００１２】
本発明の一実施形態において、前記第１スライド部及び前記第２スライド部のうち、一方はシュートであり、他方は凸型ブロックである。
【００１３】
本発明の一実施形態において、前記保湿モジュール、又は、前記複数の板体のうち前記保湿モジュールが設けられた板体には、前記上蓋が前記保湿モジュールから外れないように、少なくとも１つのスライド止め部が設けられている。
【００１４】
本発明の一実施形態において、前記多機能室は、送風モジュール及び蒸発器をさらに備えており、前記少なくとも１つの換気口は、給気口であり、前記蒸発器は、乾燥空気を生成するために使用され、前記多機能室が乾燥モードにある場合、前記送風モジュールは、前記給気口を経由して、前記乾燥空気を前記多機能室内に送り込む。
【００１５】
上記したその１つの目的を実現するため、本発明は、前記多機能室を備える冷蔵庫を提供する。
【発明の効果】
【００１６】
本発明は、従来の技術に比べて、下記の有益な効果がある。即ち、本発明によれば、同一室で、貯蔵対象物の望ましい湿度によって、高湿モードと乾燥モードとを切り替えることができる。これにより、室内の環境を円滑に調整し、室の無駄遣いを抑制するという目的を達成できる。
【図面の簡単な説明】
【００１７】
【図１】本発明の実施形態に係る多機能室の立体構造を示す図面である。
【図２】本発明の実施形態に係る多機能室の断面を示す図面である。
【図３】本発明の実施形態に係る多機能室の一部を示す図面である。
【図４】本発明の実施形態に係る多機能室の一部を示す図面である。
【図５】本発明の実施形態に係る保湿モジュールでの上蓋の第１位置構造を示す図面である。
【図６】本発明の実施形態に係る保湿モジュールでの上蓋の第２位置構造を示す図面である。
【発明を実施するための形態】
【００１８】
以下、図面に示されている具体的な実施形態をもって、本発明について詳細に説明するが、本発明は、これらの実施形態に限定されるものではない。また、当業者は、これらの実施形態を検討することにより、本発明の構造、方法あるいは機能について修正や変更を加えることができるが、本発明の範囲及び趣旨から逸脱しない限り、全て本発明の保護範囲に属する。
【００１９】
図１ないし図３に示すように、本発明の一実施形態に係る多機能室１００は、内層３００、及び、内層３００を閉鎖する扉２００を備える。内層３００は、取り囲むように配置された複数の板体によって構成されている。当該板体は、例えば側壁３０１及び裏壁３０２を含む。多機能室１００は、少なくとも１つの開口部３１１、保湿モジュール３０３、上蓋３１０及び少なくとも１つの換気口３０４をさらに備えている。少なくとも１つの開口部３１１は、複数の板体のうち少なくとも１つの板体に形成されている。保湿モジュール３０３は、開口部３１１に配置され、多機能室１００の湿度調整に用いられる。上蓋３１０は、保湿モジュール３０３に対して移動自在に配置されている。少なくとも１つの換気口３０４は、複数の板体のうち少なくとも１つの板体に形成され、多機能室１００の水分排出に用いられる。
【００２０】
ここで、多機能室１００が高湿モードにある場合、上蓋３１０は、保湿モジュール３０３が露出されるように、保湿モジュール３０３に対して移動する。多機能室１００が乾燥モードにある場合、上蓋３１０は、保湿モジュール３０３全体を覆う。
【００２１】
本実施形態において、多機能室１００内の気体及び水分などの物質が扉２００から滲み出ることを防止するため、扉２００と内層３００との接続部に、全てシールパッキン４００を配置している。内層３００の内には、引出し３０９を配置できる。引出し３０９は、ローラー３０７及びスライドレール３０８を介して、内層３００内でスライドでき、貯蔵対象物の収納に使用される。引出し３０９は、重力の作用により沈みながら、シールパッキン４００を押さえ、扉２００と内層３００との隙間を緊密に密封する。
【００２２】
本実施形態において、保湿モジュール３０３は側壁３０１に配置されるが、これに限定されない。保湿モジュール３０３の位置及び数は、実際の事情に応じて決定できる。保湿モジュール３０３は、第１支持基体３０３１、第２支持基体３０３２及び保湿膜３０３３を備えている。第１支持基体３０３１及び第２支持基体３０３２は、上下に重ねて配置されている。保湿膜３０３３は、第１支持基体３０３１と第２支持基体３０３２との間に挟まれて配置されている。保湿膜３０３３と第１支持基体３０３１及び第２支持基体３０３２との固定方式は限定されず、例えば釘や接着剤で保湿膜３０３３を第１支持基体３０３１及び第２支持基体３０３２に固定することができる。
【００２３】
本実施形態において、保湿膜３０３３は、比較的薄い膜であるから、割れやすいもので、側壁３０１に固定しにくいことから、開口部３１１に直接固定するのに適さない。したがって、本実施形態では、保湿膜３０３３の破裂を防止するため、第１支持基体３０３１及び第２支持基体３０３２で保湿膜３０３３を挟んで支持しており、かつ保湿膜３０３３を固定する目的を達成するため、第２支持基体３０３２を側壁３０１の開口部３１１に対して固定している。
【００２４】
本実施形態において、第２支持基体３０３２は、バックルや貼付物などで側壁３０１に固定されている。多機能室１００内の水分などの物質が第２支持基体３０３２と側壁３０１との固定部から滲み出ることを防止するため、第２支持基体３０３２は、側壁３０１に対して開口部３１１を密封するよう配置されている。例えば、第２支持基体３０３２と側壁３０１との間にシールパッキンが設けられている。図３に示すように、第２支持基体３０３２の周辺縁部は、階段状となっており、側壁３０１の開口部３１１に形成される階段と嵌合することで、密封及び固定の効果がさらに高められている。
【００２５】
本実施形態において、保湿モジュール３０３は、多機能室１００内の水分などの物質を透過させることができる場合に限って、多機能室１００内の湿度を調整できる。本実施形態では、第１支持基体３０３１及び第２支持基体３０３２には、それぞれ、少なくとも１つの通気穴３０３４が形成されている。通気穴３０３４は、第１支持基体３０３１及び第２支持基体３０３２を貫通している。第１支持基体３０３１及び第２支持基体３０３２のそれぞれに形成された通気穴３０３４の方向は、開口部３１１の方向と一致することができる。保湿膜３０３３自体が水分などの物質を透過させることができることから、多機能室１００の水分などの物質は、第１支持基体３０３１及び第２支持基体３０３２に形成されている通気穴３０３４及び保湿膜３０３３を経由して、多機能室１００外部の水分などの物質と交換される。通気穴３０３４の数及び位置は、具体的な情況に応じて決定できる。
【００２６】
図３ないし図５に示すように、保湿モジュール３０３の第１支持基体３０３１には第１スライド部３０３５が設けられ、上蓋３１０には第１スライド部３０３５に対応する第２スライド部３１０１が設けられている。上蓋３１０は、第１スライド部３０３５及び第２スライド部３１０１を介して、保湿モジュール３０３に対してスライドする。本実施形態において、第１スライド部３０３５はシュートであり、第２スライド部３１０１は凸型ブロックである。第２スライド部（凸型ブロック）３１０１は、第１スライド部（シュート）３０３５内でスライドできるが、これに限定されない。第１スライド部３０３５及び第２スライド部３１０１の具体的な構造は、実際の情況に応じて決定できる。他の実施形態において、図４に示すように、第１スライド部３０３５’は、側壁３０１における保湿モジュール３０３に近接した部分に設けられている。上蓋３１０に設けられる第２スライド部３１０１’は、保湿モジュール３０３の両側から延出して側壁３０１に設けられた第１スライド部３０３５’と嵌合している。この場合、第１支持基体３０３１に第１スライド部３０３５が設けられていないため、第１支持基体３０３１の透過領域が大きくなり、保湿モジュール３０３の透過領域が拡大する。
【００２７】
本実施形態において、上蓋３１０がスライドしながら保湿モジュール３０３から外れないように、図５及び図６に示すように、第１スライド部（シュート）３０３５の両端にスライド止め部３０３６が配置されている。スライド止め部３０３６の位置は、例えば、第１スライド部（シュート）３０３５の両端縁部でもよいが、これに限定されない。スライド止め部３０３６は、側壁３０１に配置されてもよい。スライド止め部３０３６により、第２スライド部（凸型ブロック）３１０１は、第１スライド部（シュート）３０３５に沿って往復スライドする時、第１スライド部（シュート）３０３５から外れない。すなわち、上蓋３１０は、スライドする方向に沿って保湿モジュール３０３から外れない。さらに、上蓋３１０が上下方向に沿って保湿モジュール３０３から外れないように、保湿モジュール３０３や側壁３０１に、ストップブロック３０３７を配置してもよい。上下方向とは、第１支持基体３０３１と第２支持基体３０３２との積層方向を指す。図５に示すように、ストップブロック３０３７が保湿モジュール３０３に配置される場合を例とすると、ストップブロック３０３７は止め金具でもよい。止め金具の一端は保湿モジュール３０３につながり、止め金具の他端は上蓋３１０の上面まで延びている。これにより、ストップブロック３０３７は上蓋３１０が軸方向に沿って移動するのを抑制する。
【００２８】
図２に示すように、本実施形態に係る多機能室１００は、送風モジュール３０５をさらに備えている。送風モジュール３０５は、例えば送風機である。上記少なくとも１つの換気口３０４は、給気口３０４１及び排気口３０４２を含む。多機能室１００が乾燥モードにある場合、給気口３０４１及び排気口３０４２の少なくとも一方は開状態となっており、送風モジュール３０５は、給気口３０４１及び／又は排気口３０４２を経由して、多機能室１００内の水分を排出する。本実施形態において、給気口３０４１及び送風モジュール３０５は、風路３０５１を経由してつながっている。給気口３０４１及び排気口３０４２には、それぞれ、遮蔽扉３０６が配置されている。遮蔽扉３０６は、給気口３０４１及び排気口３０４２の開閉を制御するのに使用される。多機能室１００が高湿モードにある場合、送風モジュール３０５は、給気口３０４１を経由して、冷気を多機能室１００内に送り込む。冷気は、開状態となっている保湿モジュール３０３から送り出すことができる。
【００２９】
本実施形態において、多機能室は、蒸発器（不図示）をさらに備えている。当該蒸発器は、空気中の水分を除去することにより、乾燥した空気を生成する。多機能室１００が乾燥モードにある場合、送風モジュール３０５は、給気口３０４１を経由して、蒸発器で除湿された乾燥空気を多機能室１００内に送る。一例として、給気口３０４１が開状態となりかつ排気口３０４２が閉状態となっている場合、送風モジュール３０５は、風路３０５１及び給気口３０４１を経由して、乾燥空気を多機能室１００内に送り込むことにより、多機能室１００内の湿度を下げる。その後、多機能室１００内に一定量の乾燥空気が送り込まれた場合、多機能室１００内の気体の圧力が高まり、その気体の圧力により、引出し３０９が若干移動し、隙間が形成される。多機能室１００内の水分は、当該隙間から排出される。送風モジュール３０５が停止した後、引出し３０９が復位して給気口３０４１が閉鎖されるため、多機能室１００は密閉空間となる。したがって、上記の例においては、排気口３０４２を配置することなく、給気口３０４１のみを配置してもよい。他の例として、給気口３０４１及び排気口３０４２が共に開状態となっている場合、送風モジュール３０５は、風路３０５１及び給気口３０４１を経由して、乾燥空気を多機能室１００内に送る。乾燥空気は、多機能室１００内の比較的高湿度の空気と共に、排気口３０４２から排出される。その後、一定時間経過後、多機能室１００内の比較的高湿度の空気が全て排出されると、給気口３０４１及び排気口３０４２が閉鎖され、多機能室１００は密閉空間となり、多機能室１００は乾燥機能を果たす。
【００３０】
本実施形態において、保湿膜３０３３には、透過可能湿度が設定されている。透過可能湿度は、保湿膜３０３３によって異なるものである。透過可能湿度は、多機能室１００内の貯蔵対象物の最適な湿度によって決定することができる。例えば、多機能室１００内の貯蔵対象物の最適な湿度が現在９０％である場合、透過可能湿度が９０％の保湿膜３０３３を選ぶことができる。多機能室１００内の現在の湿度が保湿膜３０３３の透過可能湿度９０％を超えた場合、保湿膜３０３３は、透湿機能を果たし、多機能室１００内の水分を流出させることにより、現在の湿度を最適貯蔵湿度９０％まで下げる。一方、多機能室１００内の現在の湿度が保湿膜３０３３の透過可能湿度９０％以下である場合、保湿膜３０３３は、保湿機能を果たし、多機能室１００内の水分の流出を遮断することにより、現在の湿度を最適貯蔵湿度９０％まで上げる。
【００３１】
本実施形態において、上蓋３１０は、スライドしながら、保湿モジュール３０３の開閉状態を調整することができる。多機能室１００が高湿モードにある場合、上蓋は全開状態となる。すなわち、このとき、上蓋３１０は、保湿モジュール３０３を全部露出させる。この場合、高湿モードの効果は最良である。多機能室１００が乾燥モードにある場合、上蓋３１０は全閉状態となる。すなわち、このとき、上蓋３１０は、保湿モジュール３０３全体を覆う。この場合、乾燥モードの効果は最良である。
【００３２】
次に、本実施形態に係る多機能室１００の動作について説明する。
ユーザーが多機能室１００内に野菜や果物を収納する場合、野菜や果物にとっては、高湿度環境が望ましいため、多機能室１００は高湿モードに切り替えられる。すなわち、この場合、換気口３０４は閉鎖され、上蓋３１０は全開状態となる。野菜や果物の最適な貯蔵湿度Ｈが９０％であると仮定すると、保湿膜３０３３は、透過可能湿度Ｈｎが９０％であるものを選ぶことになるが、保湿モジュール３０３は、透過可能湿度Ｈｎの異なる複数の保湿膜３０３３を備えることができる。実際の利用では、貯蔵対象物によって、透過可能湿度Ｈｎが適切な保湿膜３０３３を選ぶことができる。多機能室１００の現在の湿度Ｈ１が９９％である場合に、現在の湿度Ｈ１が保湿膜３０３３の透過可能湿度Ｈｎを超えると、保湿膜３０３３は透湿機能を果たし、保湿モジュール３０３が多機能室１００内の水分を流出させることにより、現在の湿度Ｈ１が透過可能湿度Ｈｎに徐々に近づき、透過可能湿度Ｈｎと同じになる。一方、多機能室１００の現在の湿度Ｈ２が８０％である場合、現在の湿度Ｈ２は、保湿膜３０３３の透過可能湿度Ｈｎ以下であるため、保湿膜３０３３は、保湿機能を果たし、保湿膜３０３３は、多機能室１００内の水分の流出を遮断することにより、現在の湿度Ｈ２が透過可能湿度Ｈｎに徐々に近づき、透過可能湿度Ｈｎと同じになる。
【００３３】
ユーザーが多機能室１００内に薬材を収納する場合、薬材にとっては、乾燥環境が望ましいため、多機能室１００は乾燥モードに切り替えられる。すなわち、この場合、上蓋３１０は、保湿モジュール３０３全体を覆うことから、給気口３０４１及び排気口３０４２は開状態となる。送風モジュール３０５は、風路３０５１及び給気口３０４１を経由して、乾燥空気を多機能室１００内に送り込む。乾燥空気は、多機能室１００内の比較的高湿度の空気と共に、排気口３０４２から排出される。その後、一定時間経過後、多機能室１００内の比較的高湿度の空気が全部排出されると、給気口３０４１及び排気口３０４２は閉鎖され、多機能室１００は密閉空間となり、多機能室１００は乾燥機能を果たす。
【００３４】
本実施形態において、多機能室１００は、制御モジュールをさらに備えてもよい。当該制御モジュールは、多機能室１００の高湿モードと乾燥モードとの切り替え、上蓋３１０のスライド、給気口３０４１及び排気口３０４２の開閉状態、送風モジュール３０５の動作を制御するのに使用される。
【００３５】
本実施形態に係る多機能室１００では、室内の貯蔵対象物の望ましい湿度によって、高湿モードと乾燥モードとを切り替えることができる。これにより、同一室で、異なる要求をもつ物品を貯蔵することができ、したがって、室内の環境を円滑に調整し、室の無駄遣いを抑制するという目的を達成できる。
【００３６】
なお、本発明の更なる目的は、上記の多機能室１００を少なくとも１つ備える冷蔵庫を提供することにある。
【００３７】
本明細書では、本発明の原理の理解を促す目的で、上記した実施形態に基づいて本発明を詳細に説明したが、各実施形態には、それぞれ１つの独立した技術案ずつ含まれていることではなく、当業者は、本明細書を一体とみなした上で、各実施形態の技術案を適切に組み合わせ、当業者が理解できる他の実施形態を導き出してもよい、と理解されるであろう。
【００３８】
上記した一連の詳細な説明は、本発明の実現可能性のある実施形態を具体的に説明するために提供したものであり、本発明を限定する目的で提供したのではない。本発明に関する等価の実施形態や変更は、本発明の範囲及び趣旨から逸脱しない限り、全て本発明の保護範囲に属する。
【符号の説明】
【００３９】
１００：多機能室
２００：扉
３００：内層
３０１：側壁
３０２：裏壁
３０３：保湿モジュール
３０３１：第１支持基体
３０３２：第２支持基体
３０３３：保湿膜
３０３４：通気穴
３０３５、３０３５’：第１スライド部
３０３６：スライド止め部
３０３７：ストップブロック
３０４：換気口
３０４１：給気口
３０４２：排気口
３０５：送風モジュール
３０５１：風路
３０６：遮蔽扉
３０７：ローラー
３０８：スライドレール
３０９：引出し
３１０：上蓋
３１０１、３１０１’：第２スライド部
３１１：開口部
４００：シールパッキン
Ｈｎ：透過可能湿度
Ｈ１、Ｈ２：現在の湿度
【図１】
2017508125.tif 000003
【図２】
2017508125.tif 000004
【図３】
2017508125.tif 000005
【図４】
2017508125.tif 000006
【図５】
2017508125.tif 000007
【図６】
2017508125.tif 000008
【国際調査報告】
2017508125.tif 000009
2017508125.tif 000010
2017508125.tif 000011
2017508125.tif 000012